(57)【特許請求の範囲】
【請求項１】
少なくとも左右に相対接近・離反駆動可能で且つ被検者の左右の被検眼の眼屈折力を求めることが可能な左眼屈折力測定ユニットおよび右眼屈折力測定ユニットを備えた検眼装置であって、
各測定ユニットに、それぞれ対応する前記被検眼の前眼部に向けてスリット光束を投影するスリット光束投影光学系と、前記前眼部を正面から撮像する撮像手段と、この撮像手段の受光面に結像される前記前眼部像からＺ方向の粗アライメントを検出する粗アライメント検出手段とを設け、
各粗アライメント検出手段が検出する粗アライメント情報に基づいて各測定ユニットをＺ方向に移動させて粗アライメントを行い、さらにこの後に、精密なＺ方向のアライメントを行う一方、
前記スリット光束投影光学系は、前記前眼部の角膜に向けて斜め一方向からスリット光束を投影し、前記粗アライメント検出手段は、前記前眼部像からスリット光束によって照射された前記角膜の照射部分の位置を求め、この位置が前記角膜の中央部からどの程度ずれているかに基づいてＺ方向の粗アライメントを検出することを特徴とする検眼装置。
【発明の詳細な説明】
【０００１】
【発明の属する技術分野】
この発明は、Ｚ方向の粗アライメントを検出する検眼装置に関する。
【０００２】
【従来技術】
従来から、Ｚ方向の位置を検出して自動的にアライメントを行うアライメント検出装置が知られている。
【０００３】
このアライメント検出装置は、装置本体をＺ方向の所定領域内に移動させると、Ｚ方向の位置を検出するとともにＺ方向のアライメント完了位置からのずれ量を求め、このずれ量に基づいて装置本体を移動させて自動的にＺ方向の精密なアライメントを行うものである。
【０００４】
【発明が解決しようとする課題】
しかしながら、このようなアライメント検出装置にあっては、オートアライメントが行える領域が狭く、その領域まで手動で装置本体を移動させなけらばならず、その操作が面倒である等の問題があった。
【０００５】
この発明は、上記問題点に鑑みてなされたもので、その目的は、Ｚ方向のオートアライメント領域を広くとることができるようにして、そのオートアライメント領域まで装置本体を移動させる操作が簡単に行える検眼装置を提供することにある。
【０００６】
【目的を達成するための手段】
上記目的を達成するため、請求項１の発明は、少なくとも左右に相対接近・離反駆動可能で且つ被検者の左右の被検眼の眼屈折力を求めることが可能な左眼屈折力測定ユニットおよび右眼屈折力測定ユニットを備えた検眼装置であって、
各測定ユニットに、それぞれ対応する前記被検眼の前眼部に向けてスリット光束を投影するスリット光束投影光学系と、前記前眼部を正面から撮像する撮像手段と、この撮像手段の受光面に結像される前記前眼部像からＺ方向の粗アライメントを検出する粗アライメント検出手段とを設け、
各粗アライメント検出手段が検出する粗アライメント情報に基づいて各測定ユニットをＺ方向に移動させて粗アライメントを行い、さらにこの後に、精密なＺ方向のアライメントを行う一方、
前記スリット光束投影光学系は、前記前眼部の角膜に向けて斜め一方向からスリット光束を投影し、前記粗アライメント検出手段は、前記前眼部像からスリット光束によって照射された前記角膜の照射部分の位置を求め、この位置が前記角膜の中央部からどの程度ずれているかに基づいてＺ方向の粗アライメントを検出することを特徴とする。
【００１０】
【実施形態】
以下、この発明の実施の形態を図面に基づいて説明する。
【００１１】
[第１実施形態]
図１において、１は高さが上下調節可能な検眼テーブル、２は検眼テーブル１上に配設された屈折力測定装置（検眼装置）、３は検眼椅子、４は検眼椅子３に着座した被検者である。
【００１２】
眼屈折力測定装置２は、図１〜図７に示したように、起立部５ａ及び上部の水平部５ｂから逆Ｌ字状に形成されたボックス本体５と、この起立部５ａの正面の左右両側部に一体に設けられ且つ手前側に延びる扁平支持部６，７を有する。また、眼屈折力測定装置２は、左の扁平支持部６に設けられたカーソルキー（カーソル釦）８，９，１０，１１と、右の扁平支持部７に設けられたジョイステックレバー１２を有する。このジョイステックレバー１２の上端部には撮影スイッチ１２ａが設けられている。
【００１３】
更に、眼屈折力測定装置２は、水平部５ｂの中央部の下面に下方に向けて取り付けられたステー１３と、ステー１３に突設された支持軸１４と、支持軸１４に取り付けられた円弧状の額当１５と、額当１５の左右にそれぞれ配設された左眼屈折力測定ユニット１６Ｌ及び右眼屈折力測定ユニット１６Ｒを有する。
【００１４】
この眼屈折力測定ユニット１６Ｌ，１６Ｒは、三次元方向に駆動可能な支持手段１７Ｌ，１７Ｒでそれぞれ水平部５ａに支持されている。この支持手段１７Ｌは水平部５ａ内に配設された三次元駆動装置（三次元駆動機構）１８Ｌと、三次駆動手段である三次元駆動装置１８Ｌの下方に配設された水平回転装置（水平回転駆動装置）１９Ｌを有する。また、支持手段１７Ｒは水平部５ａ内に配設された三次元駆動装置（三次元駆動機構）１８Ｒの下方に配設された水平回転装置（水平回転駆動装置）１９Ｒを有する。
＜三次元駆動装置＞
三次元駆動装置（三次元駆動手段）１８Ｌ，１８Ｒはパルスモータや油圧シリンダ等を用いて支持軸２０ａを上下動するようにしたＹ（上下）方向駆動装置（駆動手段）２０と、支持軸２０ａの下端に取り付けられたＹ（上下）方向移動支持部材２１と、Ｙ方向移動支持部材２１にＺ（前後）方向に移動可能に取り付けられたＺ方向移動支持部材２２と、Ｚ方向移動支持部材２２にＸ（左右）方向に移動可能に取り付けられたＸ方向移動支持部材２３を有する。
【００１５】
そして、図８に示したように、Ｚ方向移動支持部材２２は、Ｙ方向移動支持部材２１に取り付けられたパルスモータ等のＺ方向駆動装置（駆動手段）２４と、Ｚ方向駆動装置２４により回転駆動される送りネジ２５によりＺ（前後）方向に進退駆動させられる様になっている。また、Ｘ方向移動支持部材２３は、Ｚ方向移動支持部材２２に取り付けられたパルスモータ等の左右方向駆動装置（駆動手段）２６と、パルスモータ２６により回転駆動される送りネジ２７によりＸ（左右）方向に進退駆動させられる様になっている。
＜水平回転装置＞
また、水平回転装置（水平回動手段）１９Ｌ，１９Ｒは、三次元駆動装置１８Ｌ，１８ＲのＸ移動支持部材２３，２３の中央に固定されたパルスモータ等の水平回転駆動装置（輻輳駆動手段）２８，２８と、パルスモータ２８，２８により鉛直軸を中心にして回転駆動される回転軸２９，２９をそれぞれ有する。そして、この回転軸２９，２９には、左眼屈折力測定ユニット１６Ｌ及び右眼屈折力測定ユニット１６Ｒが固定されている。
＜眼屈折力測定ユニット＞
左眼屈折力測定ユニット１６Ｌ及び右眼屈折力測定ユニット１６Ｒは、一部を省略した以外は構成が略同じであるので、まず左眼屈力測定ユニット１６Ｌの測定光学系について説明する。
（ａ）左眼屈折力測定ユニット１６Ｌの測定光学系
この左眼屈折力測定ユニット１６Ｌの測定光学系は、図９，図１０，図１１に示した前眼部観察光学系３０Ｌと、ＸＹアライメント光学系３１Ｌと、固視光学系３２Ｌと、屈折力測定光学系３３Ｌと、Ｚ方向の粗アライメントを検出するＺアライメント検出光学系１００Ｌとを有する。尚、右眼屈折力測定ユニット１６Ｒの測定光学系は、図９に示したように前眼部観察光学系３０Ｒと、ＸＹアライメント光学系３１Ｒと、固視光学系３２Ｒと、屈折力測定光学系３３Ｒと、Ｚ方向の粗アライメントを検出するＺアライメント検出光学系１００Ｒとを有する。
（前眼部観察光学系３０Ｌ）
前眼部観察光学系３０Ｌは、前眼部照明光学系３４と、観察光学系３５を有する。
【００１６】
前眼部照明光学系３４は、前眼部照明用の光源３６と、絞り３６ａと、光源３６からの光を左眼（被検眼）ＥＬの前眼部に投影する投影レンズ３７を有する。
【００１７】
また、観察光学系３５は、被検眼ＥＬの前眼部からの反射光が入射するプリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５，ＣＣＤ（撮像手段）４６をこの順に有する。
（ＸＹアライメント光学系３１Ｌ）
ＸＹアライメント光学系３１Ｌは、アライメント照明光学系４７と、観察光学系３５をアライメント受光光学系として有する。アライメント照明光学系４７は、図１０に示したように、アライメント用の照明光源４８、アライメント視標としての絞り４９、リレーレンズ５０、ダイクロイックミラー４１、絞り４０，ダイクロイックミラー３９，対物レンズ３８，プリズムＰをこの順に有する。
（固視光学系３２Ｌ）
固視光学系３２Ｌは、固視標用光源５１，コリメータレンズ５２，固視標５３，反射ミラー５４，コリメータレンズ５５，反射ミラー５６，移動レンズ５７，リレーレンズ５８，５９，反射ミラー６０，ダイクロイックミラー６１，３９，対物レンズ３８及びプリズムＰをこの順に有する。
【００１８】
固視光学系３２Ｌは、被検眼ＥＬの屈折力に合わせて移動レンズ５７がパルスモータＰＭａにより光軸方向に移動可能となっていて、固視雲霧させることができる。
（屈折力測定光学系３３Ｌ）
屈折力測定光学系３３Ｌは、測定光束投影光学系６２０及び測定光束受光光学系６３０を有する。
【００１９】
測定光束投影光学系６２０は、赤外ＬＥＤ等の測定用光源６４，コリメータレンズ６５，円錐プリズム６６，リング視標６７，リレーレンズ６８，リング状絞り６９，中央に透孔７０ａが形成された穴あきプリズム７０，ダイクロイックミラー６１，３９、対物レンズ３８及びプリズムＰをこの順に有する。
【００２０】
また、測定光束受光光学系６３０は、被検眼ＥＬの眼底Ｅｆからの反射光を受光するプリズムＰ，対物レンズ３８，ダイクロイックミラー３９，６１，穴あきプリズム７０の透孔７０ａ，反射ミラー７１，リレーレンズ７２，移動レンズ７３，反射ミラー７４，ダイクロイックミラー４４，ＣＣＤレンズ４５，ＣＣＤ４６をこの順に有する。
（Ｚアライメント検出光学系１００Ｌ）
Ｚアライメント検出光学系１００Ｌは、結像レンズ１０１と、ＣＣＤ（撮像手段）１０２とを有し、Ｚ方向の粗アライメントが完了するとＣＣＤ１０２の中央部に前眼部像が結像されるようになっており、被検眼ＥＬが粗アライメント完了位置から遠ざかると前眼部像がＣＣＤ１０２の右側に結像され、被検眼ＥＬが粗アライメント完了位置より近づくと前眼部像がＣＣＤ１０２の左側に結像される。
【００２１】
後述する演算制御回路（粗アライメント検出手段）６２は、ＣＣＤ１０２の受光面１０２Ａに結像される前眼部像の位置からＺ方向の粗アライメントを検出して粗アライメントが完了する方向へＺ方向駆動装置２４を駆動制御するようになっている。そして、ＣＣＤ１０２と演算制御回路６２とでアライメント検出装置が構成される。
【００２２】
右眼屈折力測定ユニット１６Ｒの測定光学系は、左眼屈折力測定ユニット１６Ｌの測定光学系と全く同じであるので、その説明は省略する。
（左眼屈折力測定ユニット１６Ｌの制御回路）
上述した駆動装置２０，２４，２６，２８や前眼部観察用の光源３６，固視標用光源５１，測定用光源６４及びパルスモータＰＭａ等は、図１４に示した演算制御回路６２により作動制御されるようになっている。また、演算制御回路６２には、ＣＣＤからの検出信号が入力されるようになっている。
（ｂ）右眼屈折力測定ユニット１６Ｒの測定光学系及びその制御系
右眼屈折力測定ユニット１６Ｒは、上述したように左眼屈折力測定ユニット１６Ｌと構成が同じである。
＜全体の制御回路＞
全体の制御回路は、図１４に示したように上述の眼屈折力測定ユニット１６Ｌ，１６Ｒの制御回路６２，６２と、制御回路６２，６２を制御する演算制御回路６３を有する。この演算制御回路６３には、撮影スイッチ１２ａ及びジョイステックレバー１２の前後・左右への傾動操作を検出する傾動検出センサ１２ｂ、ジョイステックレバー１２の軸線回りへの回動操作を検出する回転センサ１２ｃが接続されている。また、演算制御回路６３には、液晶表示器等の表示装置（表示手段）６４が接続されている。この液晶表示器６４は、ボックス本体５の手前側に図１の如く配設して使用される。
【００２３】
次に、この様な構成の眼屈折力検査装置の使用状態を説明する。
(1)眼屈折力測定ユニットの高さ調節等
被検者４が図１の如く椅子３に着座して、眼屈折力測定ユニット１６Ｌ，１６ＲのプリズムＰ，Ｐの高さが被検者４の眼の高さになるように、検眼テーブル１の高さを図示しない上下駆動手段で上下に調整する。この様な検眼テーブル１の上下駆動機構は周知のものが採用できるので、詳細な説明は省略する。
(2)遠方視状態における左右眼へのアライメント
次に、被検者４が眼屈折力測定装置２の図示を省略した電源を投入すると、演算制御回路表示装置６４に使用手順が順次表示される。被検者４は、この使用手順に従って検眼を進める。
【００２４】
また、この際、演算制御回路６３は、眼屈折力測定ユニット１６Ｌ，１６Ｒの演算制御回路６２，６２を作動制御して、被検者４の左眼ＥＬ，右眼ＥＲに対するアライメント動作の準備を開始させる。即ち、眼屈折力測定ユニット１６Ｌ，１６Ｒの各演算制御回路６２，６２は、眼屈折力測定ユニット１６Ｌ，１６Ｒの前眼部観察用光源３６，アライメント用の照明光源４８，固視標用光源５１を点灯させる。また、眼屈折力測定ユニット１６Ｌ，１６Ｒの演算制御回路６２，６２は、演算制御回路６３からの制御信号に基づいて水平回転駆動装置２８，２８を作動制御して、眼屈折力測定ユニット１６Ｌ，１６ＲのプリズムＰ，Ｐから被検者４側に向かう光軸ＯＬ，ＯＲを図９及び図１５に示したように平行にする。
【００２５】
この様な状態において、被検者４が左右両眼の眼屈折力を測定する場合には、測定前に被検者４は額を額当１５に当接させて、被検者４の左右眼の光軸が眼屈折力測定ユニット１６Ｌ，１６ＲのプリズムＰ，Ｐの中心位置（光軸ＯＬ，ＯＲ）に来るように、眼屈折力測定ユニット１６Ｌ，１６Ｒを左右・上下に移動操作することにより、ＸＹアライメントを行う。
(i)左眼屈折力測定ユニットの左眼ＥＬに対するアライメント
(a).眼屈折力測定ユニット１６Ｌの左眼ＥＬに対するＸＹアライメント
このＸＹアライメントについて演算制御回路６３は、左眼屈折力測定ユニット１６ＬのＸＹアライメントを先に行うように設定されている。即ち、演算制御回路６３は、まず、左眼屈折力測定ユニット１６Ｌの駆動装置２０，２６をジョイステックレバー１２で駆動操作できるように制御する。
【００２６】
この際、前眼部照明用の光源３６からの照明光は、絞り３６ａ及び投影レンズ３７を介して被検眼ＥＬの前眼部に投影されている。そして、この前眼部からの反射光は、プリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５を介してＣＣＤ（撮像手段）４６に投影されて、ＣＣＤ４６上（受光面４６ａ）に左眼ＥＬの前眼部像を結像する。
【００２７】
一方、ＸＹアライメント用の照明光源４８からのアライメント光束は、アライメント視標としての絞り４９、リレーレンズ５０、ダイクロイックミラー４１、絞り４０、ダイクロイックミラー３９、対物レンズ３８、プリズムＰを介して被検者の左眼ＥＬの角膜ＣＬに投影されている。そして、角膜ＣＬからの反射光は、プリズムＰ、対物レンズ３８、ダイクロイックミラー３９、絞り４０、ダイクロイックミラー４１、リレーレンズ４２,４３、ダイクロイックミラー４４、ＣＣＤレンズ（結像レンズ）４５を介してＣＣＤ（撮像手段）４６に結像され、角膜ＣＬからの輝点像をＣＣＤ４６上（受光面４６ａ）に形成する。尚、ＣＲは被検者の右眼ＥＬの角膜である。
【００２８】
この様な状態において、演算制御回路６３は、被検者４が額を額当１５に当接させた状態でジョイステックレバー１２を左右に傾動操作すると、傾動検出センサ１２ｂの出力信号から、Ｘ（左右）方向駆動装置２６を正転又は逆転駆動させて、左眼屈折力測定ユニット１６Ｌを左右に移動制御する。また、演算制御回路６３は、ジョイステックレバー１２を軸線回りの一方に回動操作又は逆他方に回動操作すると、Ｙ（上下）方向駆動装置２０を正転又は逆転駆動させて、左眼屈折力測定ユニット１６Ｌを上下に移動制御する。従って、被検者４は、この様なジョイステックレバー１２の操作により、被検者４の左眼（被検眼）ＥＬの光軸が左眼屈折力測定ユニット１６ＬのプリズムＰの中心（光軸ＯＬ）に一致するように移動操作する。このプリズムＰの中心（光軸ＯＬ）は、ＣＣＤ４６の中心と一致している。
【００２９】
この様にして、被検者４の左眼の光軸が左眼屈折力測定ユニット１６ＬのプリズムＰの中心（光軸ＯＬ）の所定範囲内に入ると、アライメント光束による輝点像がＣＣＤ４６の中心の所定範囲内に入る。そして、演算制御回路６３は、ＣＣＤ４６からの輝点像の信号がＣＣＤ４６の中心の所定範囲内に入ると、被検者４の左眼の光軸が左眼屈折力測定ユニット１６ＬのプリズムＰの中心（光軸ＯＬ）に一致する方向に駆動装置２０，２６を駆動制御する。この様な駆動に伴って演算制御回路６３は、被検者４の左眼の光軸が左眼屈折力測定ユニット１６ＬのプリズムＰの中心（光軸ＯＬ）に一致するか略一致する許容範囲内に入ると、駆動装置２０，２６の作動を停止させて、左眼屈折力測定ユニット１６Ｌの左眼ＥＬに対するＸＹアライメントを完了する。
【００３０】
このＸＹアライメントが完了したら、ジョイステックレバー１２を操作して左眼屈折力測定ユニット１６ＬをＺ方向の粗アライメント領域へ移動させる。この左眼屈折力測定ユニット１６Ｌが粗アライメント領域に入ると、演算制御回路６２は、Ｚ方向の粗アライメントを行う。すなわち、演算制御回路６２は、ＣＣＤ１０２の受光面１０２Ａに結像される前眼部像の位置からＺ方向の粗アライメントを検出して、粗アライメントが完了する方向へＺ方向駆動装置２４を駆動制御する。Ｚ方向の粗アライメントが完了すると、下記のように精密なＺ方向アライメントが行われる。
【００３１】
（ｂ）.左眼屈折力測定ユニット１６Ｌの左眼ＥＬに対する精密なＺ方向アライメント
演算制御回路６３は、左眼屈折力測定ユニット１６Ｌの左眼ＥＬに対するＸＹアライメントの完了とＺ方向の粗アライメントが完了すると、ＣＣＤ４６の出力信号に基づいてＺ方向駆動装置２４を駆動制御する。すなわち、演算制御回路６３は、ＣＣＤ４６上の輝点像が有る程度鮮明になるようにＺ方向駆動装置２４を駆動制御して、左眼屈折力測定ユニット１６Ｌを光軸ＯＬ方向（前後方向）に移動制御する。そして、演算制御回路６３は、ＣＣＤ４６の輝点像が有る程度鮮明になったのを、ＣＣＤ４６の出力信号から検知すると、精密なＺアライメントが完了したとしてＺ方向駆動装置２４の駆動を停止させる。
【００３２】
このように、Ｚ方向の粗アライメントが自動的に行われるようにしたものであるから、Ｚ方向のオートアライメント領域を広くとることができ、この領域が広いことによりジョイステックレバー１２の操作により左眼屈折力測定ユニット１６Ｌをオートアライメント領域に移動させる操作は簡単に行える。
(ii)．右眼屈折力測定ユニット１６Ｒに対するアライメント
この様にして演算制御回路６３は、左眼屈折力測定ユニット１６Ｌの左眼ＥＬに対するＸＹアライメント及びＺアライメントを完了すると、右眼屈折力測定ユニット１６Ｒの右眼ＥＲに対するＸＹアライメント及びＺアライメントを、左眼屈折力測定ユニット１６Ｌと同様にして行う。
（３）遠方視状態における眼屈折力の同時測定
ところで、固視光学系３２Ｌの移動レンズ５７は、パルスモータ（駆動手段）ＰＭａで光軸Ｏ方向に進退駆動されるようになっている。しかも、固視標５３は、測定前には初期位置、即ち屈折力測定光学系３３Ｌ，３３Ｒで測定される眼屈折力が０Ｄ（「０」ディオプター）となる位置に位置させられている。固視光学系３２Ｒも同様になっている。
【００３３】
そして、演算制御回路６３は、（１），（２）のアライメントが完了すると、屈折力測定光学系３３Ｌの演算制御回路６２及び屈折力測定光学系３３Ｒの演算制御回路６２をそれぞれ作動制御して、左右の屈折力測定光学系３３Ｌ，３３Ｒの測定用光源６４，６４及び固視標用光源５１，５１をそれぞれ点灯させて、この測定用光源６４，６４から赤外の測定光束を出射させ、被検者４の左眼ＥＬ及び右眼ＥＲの眼屈折力の測定を同時に開始する。この際、測定は左眼ＥＬも右眼ＥＲも同じようにして行われるので、左眼ＥＬの測定について説明し、右眼の測定に説明を省略する。
(i)左眼ＥＬの眼屈折力測定
この際、固視光学系３２Ｌの固視標用光源５１からの照明光がコリメータンズ５２を介して平行光束として固視標５３に投影される。そして、固視標５３を透過した固視標光は、反射ミラー５４，コリメータレンズ５５，反射ミラー５６，移動レンズ５７，リレーレンズ５８，５９，反射ミラー６０，ダイクロイックミラー６１，３９，対物レンズ３８及びプリズムＰを介して、被検者４の左眼ＥＬの眼底Ｅｆに投影される。
【００３４】
また、左屈折力測定光学系３３Ｌの測定用光源６４からの測定光束は、測定光束投影光学系６２を介して被検者４の左眼ＥＬの眼底Ｅｆに投影される。即ち、左屈折力測定光学系３３Ｌの測定用光源６４からの測定光束は、左屈折力測定光学系３３Ｌのコリメータレンズ６５，円錐プリズム６６を介してリング視標６７に導かれる。そして、リング視標６７を透過したリング状の測定光束が、リレーレンズ６８，リング状絞り６９，中央に透孔７０ａが形成された穴あきプリズム７０，ダイクロイックミラー６１，３９、対物レンズ３８及びプリズムＰを介して被検者４の左眼ＥＬの眼底Ｅｆに投影される。
【００３５】
一方、左眼ＥＬの眼底Ｅｆに投影されたリング状の測定光束（リング状視標光）は眼底Ｅｆで反射する。この反射光は、測定光束受光光学系６３、即ち屈折力測定光学系３３ＬのプリズムＰ，対物レンズ３８，ダイクロイックミラー３９，６１，穴あきプリズム７０の透孔７０ａ，反射ミラー７１，リレーレンズ７２，移動レンズ７３，反射ミラー７４，ダイクロイックミラー４４，ＣＣＤレンズ４５等を介してＣＣＤ４６にリング状反射像が結像される。
【００３６】
このＣＣＤ４６からの検出信号は左屈折力測定光学系３３Ｌの演算制御回路６２に入力される。この演算制御回路６２は、ＣＣＤ４６からの検出信号が入力されると、ＣＣＤ４６に結像されたリング状反射像の大きさ形状と基準のリング状反射像の大きさ形状とから、左眼ＥＬの眼屈折力を測定する。この際、左眼ＥＬに調節力が働いているか否かが分からないので、即ち、左眼ＥＬに調節力が働いているかもしれないので、屈折測定で得られた眼屈折力が例えば３Ｄのときには１．５Ｄをプラスして、４．５Ｄの位置に固視標５３が来るように、パルスモータＰＭａを駆動制御して移動レンズ５７を光軸Ｏ方向に沿って進退駆動させる。
【００３７】
そして、この位置で左眼ＥＬの眼屈折力を上述の様にして測定する。この際の測定結果が例えば４Ｄの時には、前回の測定で得られた眼屈折力３Ｄと今回の測定で得られた眼屈折力し４Ｄとの差が１Ｄあるので、左眼ＥＬには調節力があることが分かる。従って、演算制御回路６３は、今回の測定で得られた４Ｄに１．５Ｄをプラスして５．５Ｄとし、５．５Ｄの位置に固視標５３が来るように、パルスモータＰＭａを駆動制御することにより移動レンズ５７を光軸Ｏ方向に沿って進退駆動させて、固視標５３を４．５Ｄの位置まで雲霧させ、再度左眼ＥＬの眼屈折力を測定する。
【００３８】
更に、この測定結果が例えば４．２５Ｄの時には、前回の測定で得られた眼屈折力４Ｄと今回の測定で得られた眼屈折力し４．２５Ｄとの差が０．２５Ｄであるので、左眼ＥＬの調節力が略無くなったとすることができる。
【００３９】
即ち、上述のように、ラフ測定を順次繰り返して行い、前回測定により得られた眼屈折力と今回測定により得られた眼屈折力との差が、例えば０．２５Ｄと殆ど無くなったときには、左眼ＥＬの調節力が略無くなったとすることができる。しかも、固視標５３が４．２５Ｄの位置では、左眼ＥＬは固視標５３を鮮明に視認できる状態にあるので、この固視標５３が鮮明に視認できる移動レンズ５７の位置を本測定の雲霧開始位置する。
【００４０】
そして、演算制御回路６２は、このラフ測定による最終的な眼屈折力が４．２５Ｄの値に１．５Ｄをプラスして５．７５Ｄとし、この４．２５Ｄの位置から５．７５Ｄの位置に固視標５３が来るように、移動レンズ５７を光軸方向に移動させることにより固視標５３を雲霧させて、本測定を行う。即ち、演算制御回路６２は、パルスモータＰＭａを駆動制御して移動レンズ５７を光軸Ｏ方向に沿って移動させて、固視標５３が４．２５Ｄの位置から５．７５Ｄの位置にくるようにすることにより、左眼ＥＬが視認している固視標５３がぼやける位置まで雲霧させて、左屈折力測定光学系３３Ｌにより左眼ＥＬの眼屈折力を測定する。この雲霧を伴う眼屈折力の本測定は数回行って平均値を左眼ＥＬの眼屈折力とする。
(ii)右眼ＥＲの眼屈折力測定
右眼ＥＲの眼屈折力も、(i)の左眼ＥＬの眼屈折力の測定と同様な手順で、左眼ＥＬと同時に測定される。
(iii)従って、この様に左眼ＥＬ及び右眼ＥＲの眼屈折力を同時に測定することにより、左眼ＥＬと右眼ＥＲの眼屈折力を片眼づつ測定した場合に比べて左眼ＥＬと右眼ＥＲの調節力がより少ない状態で、左眼ＥＬ及び右眼ＥＲの眼屈折力を正確に測定できる。
【００４１】
即ち、左眼ＥＬと右眼ＥＲの眼屈折力を片眼づつ測定した場合、左眼ＥＬと右眼ＥＲのうち測定していない方の眼の調節力が測定している方の眼の調節力に影響を与える虞がある。しかし、左眼ＥＬ及び右眼ＥＲの眼屈折力を同時に測定することにより、左眼ＥＬと右眼ＥＲの調節力が影響し合うようなことが無くなるので、左眼ＥＬと右眼ＥＲの調節力がより少ない状態で、左眼ＥＬ及び右眼ＥＲの眼屈折力を正確に測定できる。
(4).内方視（輻輳）状態から遠方視状態へ移動後の眼屈折力の同時測定
上述した（３）におけるように、遠方視状態での左右眼の眼屈折力の同時測定時には、左右眼の調節力が殆どない状態となっているが、内方視（光軸ＯＬ，ＯＲが輻輳している状態）状態から遠方視状態（光軸ＯＬ，ＯＲが平行な状態）へ移動後に眼屈折力を同時に測定することで、左右眼の調節力を更に少なくしてより正確な眼屈折力の測定を行うことができる。
【００４２】
この測定に際しては、まず図９の左眼ＥＬ及び右眼ＥＲが遠方視状態（光軸ＯＬ，ＯＲが平行な状態）から内方視（光軸ＯＬ，ＯＲが輻輳している状態）状態にする。例えば、図９の左眼ＥＬ及び右眼ＥＲが遠方視状態（光軸ＯＬ，ＯＲが平行な状態）から被検者４の左眼ＥＬ及び右眼ＥＲが約７５ｃｍ前方を見ている状態にして、左眼ＥＬ及び右眼ＥＲが輻輳している状態にする。
(i)．初期輻輳状態から光軸ＯＬ，ＯＲを平衡状態にしたときの眼屈折力測定
＜初期位置への輻輳＞
このためには、演算制御回路６３は、演算制御回路６２，６２を介して眼屈折力測定ユニット１６Ｌ，１６Ｒの駆動装置２８，２８を作動制御して、眼屈折力測定ユニット１６Ｌ，１６Ｒを図９の状態から矢印Ａ，Ａの方向に水平回動させて、図１６，図１７に示したように光軸ＯＬ，ＯＲを角度αとなるように輻輳させる。
【００４３】
この際、左眼屈折力測定ユニット１６Ｌの演算制御回路６２は、左眼屈折力測定ユニット１６ＬのＣＣＤ４６からのアライメント用の輝点像のアドレス及びコントラスト等から、眼屈折力測定ユニット１６Ｌの駆動装置２４及び２６を作動制御して、左眼屈折力測定ユニット１６Ｌの左眼ＥＬまでの作動距離が一定となるように制御する。一方、右眼屈折力測定ユニット１６Ｒの演算制御回路６２は、右眼屈折力測定ユニット１６ＲのＣＣＤ４６からのアライメント用の輝点像のアドレス及びコントラスト等から、右眼屈折力測定ユニット１６Ｒの駆動装置２４及び２６を作動制御して、右眼屈折力測定ユニット１６Ｒの右眼ＥＲまでの作動距離が一定となるように制御する。
【００４４】
尚、角度αの輻輳位置に眼屈折力測定ユニット１６Ｌ，１６Ｒの視力表５３，５３があるとき、この位置が例えば−８Ｄに相当するとする。
＜初期輻輳状態から光軸ＯＬ，ＯＲを平衡状態へ＞
この輻輳状態から、演算制御回路６３は、眼屈折力測定ユニット１６Ｌ，１６Ｒは演算制御回路６２，６２を作動制御して、演算制御回路６２，６２によりパルスモータＰＭａ，ＰＭａを同時に駆動制御させて、移動レンズ５７を光軸Ｏ方向に移動させ、眼屈折力測定ユニット１６Ｌ，１６Ｒの固視標５３，５３を−８Ｄに１．５Ｄをプラスした−６．５Ｄの位置まで雲霧させる。
【００４５】
この際、演算制御回路６３は、演算制御回路６２，６２を作動制御して、演算制御回路６２，６２により眼屈折力測定ユニット１６Ｌ，１６Ｒの駆動装置２８，２８を駆動制御させ、眼屈折力測定ユニット１６Ｌ，１６Ｒを図１７の矢印Ｂ，Ｂ方向に水平回動させる。この演算制御回路６２，６２による駆動装置２８，２８を駆動制御は、眼屈折力測定ユニット１６Ｌ，１６Ｒの光軸ＯＬ，ＯＲが平行となるまで行わせる。
【００４６】
しかも、この様な駆動制御に際して、左眼屈折力測定ユニット１６Ｌの演算制御回路６２は、左眼屈折力測定ユニット１６ＬのＣＣＤ４６からのアライメント用の輝点像のアドレス及びコントラスト等から、左眼屈折力測定ユニット１６Ｌの駆動装置２４及び２６を作動制御して、左眼屈折力測定ユニット１６Ｌの左眼ＥＬまでの作動距離が一定となるように制御する。一方、右眼屈折力測定ユニット１６Ｒの演算制御回路６２は、右眼屈折力測定ユニット１６ＲのＣＣＤ４６からのアライメント用の輝点像のアドレス及びコントラスト等から、右眼屈折力測定ユニット１６Ｒの駆動装置２４及び２６を作動制御して、右眼屈折力測定ユニット１６Ｒの右眼ＥＲまでの作動距離が一定となるように制御する。
＜眼屈折力のラフ測定＞
そして、左眼屈折力測定ユニット１６Ｌの演算制御回路６２は、この様な駆動装置２４，２６，２８の駆動制御により、光軸ＯＬ，ＯＲが平行になると共に、パルスモータＰＭａの駆動制御により、移動レンズ５７が光軸方向に移動させられて、固視標５３が−６．５Ｄの位置まで雲霧させられたとき、屈折力測定光学系３３Ｌの測定用光源６４をを点灯させて、左眼ＥＬの眼屈折力のラフ（粗い）な測定を行う。
【００４７】
これと共に右眼屈折力測定ユニット１６Ｒの演算制御回路６２は、上述の様な駆動装置２４，２６，２８の駆動制御により光軸ＯＬ，ＯＲが平行になると共に、パルスモータＰＭａの駆動制御により、移動レンズ５７が光軸方向に移動させられて、固視標５３が−６．５Ｄの位置まで雲霧させられたとき、屈折力測定光学系３３Ｒの測定用光源６４を点灯させて、左眼ＥＬの眼屈折力のラフ（粗い）な測定を行う。
【００４８】
この様な測定において、左眼ＥＬの屈折力の値が例えば−６Ｄであり、右眼ＥＲの屈折力の値が例えば−５Ｄであったとすると、この値は左右眼ＥＬ，ＥＲとも調節力があるときの値であるかもしれない。
(ii)光軸ＯＬ，ＯＲの測定値の位置への輻輳状態から平衡状態へ移動しての測定
＜測定値の位置への輻輳＞
従って、演算制御回路６３は、演算制御回路６２，６２を介して眼屈折力測定ユニット１６Ｌ，１６Ｒの駆動装置２８，２８を個別に作動制御して、眼屈折力測定ユニット１６Ｌ，１６Ｒを図９の状態から矢印Ａ，Ａの方向に個別に水平回動させて、図１６（ｂ）に▲２▼、▲２▼′で示したように光軸ＯＬ，ＯＲを独立に輻輳させて、眼屈折力測定ユニット１６Ｌの移動レンズ５７を光軸方向に移動させて固視標５３を図１６（ａ）の−６Ｄの位置に位置させ、眼屈折力測定ユニット１６Ｒの固視標５３を図１６（ａ）の−５Ｄの位置に位置させる。
＜輻輳状態から光軸ＯＬ，ＯＲを平衡状態へ＞
この輻輳状態から、左眼屈折力測定ユニット１６Ｌの演算制御回路６２は、左眼屈折力測定ユニット１６ＬのパルスモータＰＭａを駆動制御して、移動レンズ５７を光軸Ｏ方向に移動させ、眼屈折力測定ユニット１６Ｌの視力表５３を−６Ｄに１．５Ｄをプラスした−４．５Ｄの位置まで雲霧させる。一方、右眼屈折力測定ユニット１６Ｒの演算制御回路６２は、左眼屈折力測定ユニット１６ＲのパルスモータＰＭａを駆動制御して、移動レンズ５７を光軸Ｏ方向に移動させ、眼屈折力測定ユニット１６Ｒの固視標５３を−５Ｄに１．５Ｄをプラスした−３．５Ｄの位置まで雲霧させる。
【００４９】
この際、演算制御回路６３は、演算制御回路６２，６２を作動制御して、演算制御回路６２，６２により眼屈折力測定ユニット１６Ｌ，１６Ｒの駆動装置２８，２８を駆動制御させ、眼屈折力測定ユニット１６Ｌ，１６Ｒを図１７の矢印Ｂ，Ｂ方向に水平回動させる。この演算制御回路６２，６２による駆動装置２８，２８を駆動制御は、眼屈折力測定ユニット１６Ｌ，１６Ｒの光軸ＯＬ，ＯＲが平行となるまで行わせる。しかも、この際、上述したように各演算制御回路６２は駆動装置２４及び２６を作動制御して、眼屈折力測定ユニット１６Ｌ，１６Ｒの左眼ＥＬ及び右眼ＥＲまでの作動距離がそれぞれ一定となるように制御する。
＜眼屈折力のラフ測定＞
そして、左眼屈折力測定ユニット１６Ｌの演算制御回路６２は、光軸ＯＬ，ＯＲが平行になると共に、パルスモータＰＭａの駆動制御により、移動レンズ５７が光軸方向に移動させられて、固視標５３が−４．５Ｄの位置まで雲霧させられたとき、屈折力測定光学系３３Ｌの測定用光源６４をを点灯させて、左眼ＥＬの眼屈折力のラフ（粗い）な測定を行う。
【００５０】
これと共に右眼屈折力測定ユニット１６Ｒの演算制御回路６２は、光軸ＯＬ，ＯＲが平行になると共に、パルスモータＰＭａの駆動制御により、移動レンズ５７が光軸方向に移動させられて、固視標５３が−３．５Ｄの位置まで雲霧させられたとき、屈折力測定光学系３３Ｒの測定用光源６４を点灯させて、左眼ＥＬの眼屈折力のラフ（粗い）な測定を行う。
【００５１】
この様な測定において、左眼ＥＬの屈折力の値が例えば−４Ｄであり、右眼ＥＲの屈折力の値が例えば−３Ｄであったとすると、この値は左右眼ＥＬ，ＥＲとも調節力があるときの値であるかもしれない。
(iii)．繰り返しラフ測定
この場合、左眼ＥＬにおいては、前回測定した眼屈折力の値が−６Ｄであり、今回測定した眼屈折力の値が−４Ｄであるので、前回と今回の眼屈折力の差が−２Ｄと大きく開いており、調節力が働いている。また、右眼ＥＲにおいては、前回測定した眼屈折力の値が−５Ｄであり、今回測定した眼屈折力の値が−３Ｄであるので、前回と今回の眼屈折力の差が−２Ｄと大きく開いており、調節力が働いている。
【００５２】
従って、この場合には上述の(ii)の様にして、図１６（ｂ）に▲３▼、▲３▼′で示したように光軸ＯＬ，ＯＲを独立に輻輳させて、眼屈折力測定ユニット１６Ｌの移動レンズ５７を光軸方向に移動させて、固視標５３を図１６（ａ）の−４Ｄの位置に位置させ、眼屈折力測定ユニット１６Ｒの移動レンズ５７を光軸方向に移動させて、固視標５３を図１６（ａ）の−３Ｄの位置に位置させる。
【００５３】
この輻輳状態から、(ii)の様にして、左眼屈折力測定ユニット１６Ｌの移動レンズ５７を光軸方向に移動させて、固視標５３を−４Ｄに１．５Ｄをプラスした−２．５Ｄの位置まで雲霧させて、左眼ＥＬの眼屈折力のラフ（粗い）な測定を行うと共に、右眼屈折力測定ユニット１６Ｒの移動レンズ５７を光軸方向に移動させて、固視標５３を−３Ｄに１．５Ｄをプラスした−１．５Ｄの位置まで雲霧させて、右眼ＥＲの眼屈折力のラフ（粗い）な測定を行う。
【００５４】
この様な測定において、左眼ＥＬの屈折力の値が例えば−３Ｄであり、右眼ＥＲの屈折力の値が例えば−１Ｄであったとすると、この値は左右眼ＥＬ，ＥＲとも調節力がるときの値であるかもしれない。
【００５５】
この場合、左眼ＥＬにおいては、前回測定した眼屈折力の値が−４Ｄであり、今回測定した眼屈折力の値が−３Ｄであるので、前回と今回の眼屈折力の差が−１Ｄと大きく開いており、調節力が働いている。また、右眼ＥＲにおいては、前回測定した眼屈折力の値が−３Ｄであり、今回測定した眼屈折力の値が−１Ｄであるので、前回と今回の眼屈折力の差が−２Ｄと大きく開いており、調節力が働いている。
【００５６】
従って、この場合には上述の(ii)の様にして、図１６（ｂ）に▲４▼、▲４▼′で示したように光軸ＯＬ，ＯＲを独立に輻輳させて、眼屈折力測定ユニット１６Ｌの移動レンズ５７を光軸方向に移動させて、固視標５３を図１６（ａ）の−３Ｄの位置に位置させ、眼屈折力測定ユニット１６Ｒの移動レンズ５７を光軸方向に移動させて、固視標５３を図１６（ａ）の−１Ｄの位置に位置させる。
【００５７】
この輻輳状態から、(ii)の様にして、左眼屈折力測定ユニット１６Ｌの移動レンズ５７を光軸方向に移動させて、固視標５３を−３Ｄに１．５Ｄをプラスした−１．５Ｄの位置まで雲霧させて、左眼ＥＬの眼屈折力のラフ（粗い）な測定を行うと共に、右眼屈折力測定ユニット１６Ｒの移動レンズ５７を光軸方向に移動させて、視力表５３を−１Ｄに１．５Ｄをプラスした０．５Ｄの位置まで雲霧させて、右眼ＥＲの眼屈折力のラフ（粗い）な測定を行う。
【００５８】
この様な測定において、左眼ＥＬの屈折力の値が例えば−２．７５Ｄであったとすると、左眼ＥＬの前回測定した眼屈折力の値が−３Ｄであるので、前回と今回の眼屈折力の差が−０．２５Ｄと略同じになっており、調節力が殆ど働いていない状態となる。また、この様な測定において、右眼ＥＲの屈折力の値が例えば−０．７５Ｄであったとすると、右眼ＥＲの前回測定した眼屈折力の値が−１Ｄであるので、前回と今回の眼屈折力の差が−０．２５と略同じになっており、調節力が殆ど働いていない状態となる。
(iV)．本測定
従って、この場合には上述の(ii)の様にして、光軸ＯＬ，ＯＲを独立に輻輳させて、眼屈折力測定ユニット１６Ｌの移動レンズ５７を光軸方向に移動させて、固視標５３を図１６（ａ）の−２．７５Ｄの位置に位置させ、右眼屈折力測定ユニット１６Ｒの移動レンズ５７を光軸方向に移動させて、固視標５３を図１６（ａ）の−０．７５Ｄの位置に位置させる。
【００５９】
この輻輳状態から、(ii)の様にして、左眼屈折力測定ユニット１６Ｌの移動レンズ５７を光軸方向に移動させて、固視標５３を−２．７５Ｄに１．５Ｄをプラスした−１．２５Ｄの位置まで雲霧させて、左眼ＥＬの眼屈折力の本測定を行うと共に、右眼屈折力測定ユニット１６Ｒの移動レンズ５７を光軸方向に移動させて、固視標５３を−０．７５に１．５Ｄをプラスした０．７５Ｄの位置まで雲霧させて、右眼ＥＲの眼屈折力の本測定を行う。
（５）その他
以上説明した実施例では、ジョイステックレバー１２で眼屈折力測定ユニット１６Ｌ、１６Ｒの駆動装置２０，２４，２６等を駆動制御するようにしたが、必ずしも之に限定されるものではない。
【００６０】
たとえば、Ｙ方向駆動装置２０は設けずに、駆動装置２４，２６のみとして、カーソルキー９を操作することで駆動装置２４を正転駆動制御して、眼屈折力測定ユニット１６Ｌ（１６Ｒ）を後方に移動させ、カーソルキー１１を操作することで駆動装置２４を逆転駆動制御して、眼屈折力測定ユニット１６Ｌ（１６Ｒ）を前方に移動させる様にすると共に、カーソルキー８を操作することで駆動装置２６を正転駆動制御して、眼屈折力測定ユニット１６Ｌ（１６Ｒ）を左方に移動させ、カーソルキー１０を操作することで駆動装置２６を逆転駆動制御して、眼屈折力測定ユニット１６Ｌ（１６Ｒ）を右方に移動させる様にしても良い。この場合、Ｙ方向（上下方向）の高さは、テーブル１の高さ又は椅子３の高さを調節することで対応する。
【００６１】
また、以上説明した実施例では、眼屈折力測定ユニット１６Ｌ，１６Ｒの間隔を手動で瞳孔間距離なる様に個別に駆動操作するようにしたが、被検者の瞳孔間距離が分かっている場合には必ずしもこの構成にのみ限定されるものではない。例えば、この構成に加えて、被検者の瞳孔間距離が分かっている場合、或いはこのデータが有る場合には、この瞳孔間距離又はそのデータを演算制御回路６３に入力し、眼屈折力測定ユニット１６Ｌ，１６Ｒの光軸ＯＬ，ＯＲの間隔を瞳孔間距離に設定制御する様にしても良い。即ち、演算制御回路６３は、被検者の瞳孔間距離のデータが入力されると、眼屈折力測定ユニット１６Ｌ，１６Ｒの演算制御回路６２，６２を作動制御して、演算制御回路６２，６２により眼屈折力測定ユニット１６Ｌ，１６Ｒの駆動装置２６，２６を作動制御し、眼屈折力測定ユニット１６Ｌ，１６Ｒの光軸ＯＬ，ＯＲを平行にしたときの間隔が被検者の瞳孔間距離となるように設定制御しても良い。
［第２実施形態］
図１８は第２実施形態を示したものである。この第２実施形態では、眼屈折力測定ユニット１６ＬのＺアライメント検出光学系１００Ｌの替わりに被検眼ＥＬの角膜ＣＬに向けて斜め一方向からスリット光束を投影するスリット光束投影光学系１１０Ｌを設けたものである。
【００６２】
スリット光束投影光学系１１０Ｌは、光源１１１と、光源から射出される光を集光して平行光束にするコリメータレンズ１１２と、スリット孔(図示せず)を有するスリット板１１３とを有している。このスリット孔によってスリット光束が形成され、このスリット光束が被検眼ＥＬの角膜ＣＬに向けて斜め方向から投影される。
【００６３】
このスリット光束投影光学系１１０Ｌは、Ｚ方向の粗アライメントが完了した状態では、スリット光束が角膜ＣＬの中央部を投影し、被検眼ＥＬが粗アライメント完了位置から遠ざかるとスリット光束が角膜ＣＬの右側（図１８において）に投影し、被検眼ＥＬが粗アライメント完了位置より近づくとスリット光束が角膜ＣＬの左側（図１８において）に投影するようになっている。そして、スリット光束の投影位置、すなわち、角膜ＣＬのスリット光束の照射部分の位置からＺ方向の粗アライメントを検出するものである。この検出はＣＣＤ４６上（受光面４６ａ）に結像される前眼部像から判断して求めるものである。
【００６４】
なお、右眼屈折力測定ユニット１６Ｒにもスリット光束投影光学系１１０Ｌと同様なスリット光束投影光学系１１０Ｒ(図示せず)が設けられており、その作用はスリット光束投影光学系１１０Ｌと同一なのでその説明は省略する。
【００６５】
【発明の効果】
この発明によれば、Ｚ方向のオートアライメント領域を広くとることができ、そのオートアライメント領域まで装置本体を移動させる操作が簡単に行える。
【図面の簡単な説明】
【図１】この発明にかかる眼屈折力測定装置の配置例を示す説明図である。
【図２】図１に示した眼屈折力測定装置の拡大斜視図である。
【図３】図２の眼屈折力測定装置の正面図である。
【図４】図３の眼屈折力測定装置の平面図である。
【図５】図３の眼屈折力測定装置の左側面図である。
【図６】図３の眼屈折力測定装置の右側面図である。
【図７】図２に示した眼屈折力測定ユニットの支持構造を示す断面図である。
【図８】図７に示した支持構造を下方から見た説明図である。
【図９】図２に示した眼屈折力測定ユニットの光学系を示す説明図である。
【図１０】図７の左眼屈折力測定ユニットの拡大説明図である。
【図１１】図１０の光学系を正面側から見たときの光学部品の配置図である。
【図１２】図７の右眼屈折力測定ユニットの拡大説明図である。
【図１３】図１２の光学系を正面側から見たときの光学部品の配置図である。
【図１４】図２〜図１３に示した眼屈折力測定装置の制御回路図である。
【図１５】図１〜図１４に示した眼屈折力測定装置の遠方視状態における屈折力測定の説明図である。
【図１６】（ａ）、（ｂ）は、図１〜図１４に示した眼屈折力測定装置の輻輳及び遠方視状態の繰り返しによる屈折力測定の説明図である。
【図１７】図１ないし図１３の眼屈折力測定ユニットを輻輳した状態を示す光学系の説明図である。
【図１８】第２実施形態を示した説明図である。
【符号の説明】
１００Ｌ                 Ｚアライメント検出光学系
１０１                   結像レンズ
１０２                   ＣＣＤ（撮像手段）
【図２】
0004632512.tif 000002
【図３】
0004632512.tif 000003
【図４】
0004632512.tif 000004
【図５】
0004632512.tif 000005
【図６】
0004632512.tif 000006
【図７】
0004632512.tif 000007
【図８】
0004632512.tif 000008
【図１４】
0004632512.tif 000009
【図１５】
0004632512.tif 000010
【図１６】
0004632512.tif 000011
【図１】
0004632512.tif 000012
【図９】
0004632512.tif 000013
【図１０】
0004632512.tif 000014
【図１１】
0004632512.tif 000015
【図１２】
0004632512.tif 000016
【図１３】
0004632512.tif 000017
【図１７】
0004632512.tif 000018
【図１８】
0004632512.tif 000019